(57)【特許請求の範囲】
【請求項１】
ネットワークを介して、通信を行うＩＰ（Internet  Protocol）電話機において、
発信先の電話番号と該電話番号に対応したＩＰアドレスが記憶される番号-アドレス記憶領域と、
前記番号-アドレス記憶領域に、発信先の電話番号と該電話番号に対応するＩＰアドレスとを設定登録する設定登録手段と、
発信先の電話番号を受け付ける電話番号受付手段と、
前記番号-アドレス記憶領域を参照して、前記電話番号受付手段が受け付けた発信先の電話番号に対応するＩＰアドレスを把握し、該ＩＰアドレスに基づいて呼制御を行う呼制御手段と、
発信先に対して発呼信号を送信した後、該発信先から該発呼信号に対する発呼受付信号を受信すると、該発信先に対してリング・バック・トーンを送るリング・バック・トーン送信手段と、
発信元からの発呼信号を受信すると、該発信元からの音声信号を発信元に送り返すループ状態にするループ形成手段と、
を備えていることを特徴とするＩＰ電話機。
【請求項２】
請求項１に記載のＩＰ電話機において、
前記電話番号受付手段が受け付けた発信先の電話番号に対応するＩＰアドレスに基づいて、前記呼制御手段により呼制御を行わせるダイレクトモードと、該電話番号受付手段が受け付けた発信先の電話番号に基づいて、前記呼制御手段により呼制御を行わせる通常モードと、のいずれか一方への設定を受け付けるモード受付手段を備え、
前記呼制御手段は、
前記モード受付手段が前記ダイレクトモードの設定を受け付けると、前記電話番号受付手段が発信先の電話番号を受け付けた際には、発信先の電話番号に対応するＩＰアドレスに基づいて呼制御を行い、該呼制御では、該ダイレクトモードであることを意味する発呼信号を発信先に出力し、
前記モード受付手段が前記通常モードの設定を受け付けると、前記電話番号受付手段が発信先の電話番号を受け付けた際には、発信先の電話番号に基づいて呼制御を行い、該呼制御では、該通常モードであることを意味する発呼信号を発信先側に出力する、
ことを特徴とするＩＰ電話機。
【請求項３】
請求項２に記載のＩＰ電話機において、
前記呼制御手段が発信元からの前記発呼信号を受け付けると、該発呼信号に基づいて、発信元が前記ダイレクトモードか前記通常モードかを判断し、該発信元が該ダイレクトモードである場合には、前記呼制御手段を前記ダイレクトモードに設定し、該発信元が該通常モードである場合には、該呼制御手段を前記通常モードに設定するモード設定手段を備え、
前記モード設定手段が、前記呼制御手段を前記ダイレクトモードに設定した場合に、前記ループ形成手段は、発信元からの前記発呼信号を受信すると、該発信元からの音声信号を発信元に送り返すループ状態にする、
ことを特徴とするＩＰ電話機。
【請求項４】
ネットワークを介して通信を行うＩＰ（Internet  Protocol）電話機の通信方法において、
番号-アドレス記憶領域に、発信先の電話番号と該電話番号に対応するＩＰアドレスとを設定登録する設定登録処理と、
発信先の電話番号を受け付ける電話番号受付処理と、
前記番号-アドレス記憶領域を参照して、前記電話番号受付手段が受け付けた発信先の電話番号に対応するＩＰアドレスを把握し、該ＩＰアドレスに基づいて呼制御を行う呼制御処理と、
発信先に対して発呼信号を送信した後、該発信先から該発呼信号に対する発呼受付信号を受信すると、該発信先に対してリング・バック・トーンを送るリング・バック・トーン送信処理と、
発信元からの発呼信号を受信すると、該発信元からの音声信号を発信元に送り返すループ状態にするループ形成処理と、
を実行することを特徴とするＩＰ電話機の通信方法。
【発明の詳細な説明】
【０００１】
【発明の属する技術分野】
本発明は、ネットワークを介して、通話を行うＩＰ（Internet  Protocol）電話機、これを備えた電話システム、ＩＰ電話機の通信方法に関する。
【０００２】
【従来の技術】
いわゆる構内電話システムでは、多数のＩＰ電話機がＰＢＸ（Private  Branch  exchange：構内交換機）及びＬＡＮを介して、相互に接続されている。例えば、あるＩＰ電話機から他のＩＰ電話機へ電話をする場合、発信元のＩＰ電話機からの発信元電話番号に対応するＩＰアドレスがＰＢＸに送られ、発信元のＩＰ電話機とＰＢＸとの回線が確保された後、発信元のＩＰ電話機から発信先電話番号がＰＢＸに送られる。ＰＢＸは、テーブルを参照して、この発信先電話番号に対応した発信先ＩＰアドレスを調べ、この発信先ＩＰアドレスに基づいて、発信先のＩＰ電話機との回線を確保している。
【０００３】
【発明が解決しようとする課題】
しかしながら、従来技術では、あるＩＰ電話機から他のＩＰ電話機へ電話をする場合、必ず、ＰＢＸを介する必要があるため、設備コストが嵩む上に、構内電話システム構築中に通話試験を行おうとしても、ＰＢＸの接続及び各種設定等が完了していなければ、通話試験を行うことができないという問題点がある。
【０００４】
本発明は、このような従来の問題点に着目し、構内電話システムの設備コストを抑えることができると共に、ＰＢＸを介さずとも通話試験を行うことができるＩＰ電話機を提供することを目的とする。
【０００５】
【課題を解決するための手段】
前記目的を達成するためのＩＰ電話機は、
発信先の電話番号と該電話番号に対応したＩＰアドレスが記憶される番号-アドレス記憶領域と、
前記番号-アドレス記憶領域に、発信先の電話番号と該電話番号に対応するＩＰアドレスとを設定登録する設定登録手段と、
発信先の電話番号を受け付ける電話番号受付手段と、
前記番号-アドレス記憶領域を参照して、前記電話番号受付手段が受け付けた発信先の電話番号に対応するＩＰアドレスを把握し、該ＩＰアドレスに基づいて呼制御を行う呼制御手段と、
発信先に対して発呼信号を送信した後、該発信先から該発呼信号に対する発呼受付信号を受信すると、該発信先に対してリング・バック・トーンを送るリング・バック・トーン送信手段と、
発信元からの発呼信号を受信すると、該発信元からの音声信号を発信元に送り返すループ状態にするループ形成手段と、
を備えていることを特徴とするものである。
【０００７】
また、前記目的を達成するためのＩＰ電話機の通信方法は、
番号-アドレス記憶領域に、発信先の電話番号と該電話番号に対応するＩＰアドレスとを設定登録する設定登録処理と、
発信先の電話番号を受け付ける電話番号受付処理と、
前記番号-アドレス記憶領域を参照して、前記電話番号受付手段が受け付けた発信先の電話番号に対応するＩＰアドレスを把握し、該ＩＰアドレスに基づいて呼制御を行う呼制御処理と、
発信先に対して発呼信号を送信した後、該発信先から該発呼信号に対する発呼受付信号を受信すると、該発信先に対してリング・バック・トーンを送るリング・バック・トーン送信処理と、
発信元からの発呼信号を受信すると、該発信元からの音声信号を発信元に送り返すループ状態にするループ形成処理と、
を実行することを特徴とするものである。
【０００８】
【発明の実施の形態】
以下、本発明に係る構内電話システムの一実施形態について、図面を用いて説明する。
【０００９】
本実施形態における構内電話システムは、図１に示すように、複数のＩＰ電話機１０，１０，…と、これら相互を接続するためのＬＡＮ回線２及びハブ１と、複数の通常電話機４，４，…と、これら相互を接続するための通常回線５及びＰＢＸ３０と、を備えている。ハブ１とＰＢＸ３０とは、ＬＡＮ回線３で接続されている。
【００１０】
ＩＰ電話機１０は、図２に示すように、スピーカ１１ａ及びマイク１１ｂが設けられているハンドセット１１と、このハンドセット１１が外されたか否かを検知するためのフックスイッチ１２と、表示パネル１３と、ダイヤルボタンやその他の機能ボタン等のプッシュボタン群１４と、フックスイッチ１２や表示パネル１３やプッシュボタン群１４等の駆動回路１５と、呼制御を行う呼制御回路（呼制御手段）２１と、ハンドセット１０による通話を実現するための通話回路（通話手段）２２と、ダイヤル・トーン（ＤＴ）やリングバック・トーン（ＲＢＴ）等の各種トーンを発信するトーン発信回路２３と、ＬＡＮ回線２に対するインタフェース回路２６と、複数のＩＰ電話機１０，１０，…の電話番号及びこれに対応するＩＰアドレスが登録される番号-アドレステーブル（番号-アドレス記憶領域）２７と、各種回路を制御する主制御回路２０と、を備えている。トーン発信回路２３は、ハンドセット１１のスピーカ１０ａにダイヤル・トーンを発信するダイヤル・トーン発信回路２４と、インタフェース回路２６を介して発信先電話機にリングバック・トーンを発信するリング・バック・トーン発信回路２５と、を備えている。
【００１１】
なお、本実施形態において、ＩＰ電話機の設定登録手段、電話番号受付手段、モード受付手段、データ要求手段は、いずれも、プッシュボタン群１４、これの駆動回路１５、及び主制御回路２０を有して構成されている。また、リング・バック・トーン発信手段及びダイヤル・トーン発信手段は、トーン発信回路２３及び主制御回路２０を有して構成される。モード設定手段、データ要求受付手段は、呼制御回路２１及び主制御回路２０を有して構成される。
【００１２】
ＰＢＸ３０は、ＬＡＮ３に対するＬＡＮ側インタフェース回路３１と、通常回線５に対する通常回線側インタフェース回路３２と、インタフェース回路３１，３２相互間を接続するスイッチ回路３３と、これらの回路を制御する主制御回路３４と、複数のＩＰ電話機１０，１０，…の電話番号及びこれに対応するＩＰアドレスが登録される番号-アドレステーブル３５と、複数の通常電話機４，４，…の電話番号が登録されている電話番号テーブル３６と、を備えている。
【００１３】
次に、図３に示すフローチャートに従って、番号-アドレステーブル２７へのデータ登録操作について説明する。
【００１４】
ユーザ又は電話機の設置者は、当該ＩＰ電話機に接続されている他のＩＰ電話機で、構内電話システムを構成している全てのＩＰ電話機に関する電話番号及びＩＰアドレスが既に設定登録されているものが在るか否かを判断し（ステップ１）、設定登録されているものが在れば、プッシュボタン群１４のうちの特定のプッシュボタンを操作して、電話番号等が設定登録されているＩＰ電話機を呼び出し、電話番号等のデータ要求を行う（ステップ２）。この際、データ要求は、ユーザ等によるプッシュボタン群１４の操作に応じて、主制御回路２０及び呼制御回路２１及びインタフェース回路２６を介して行う。なお、ＩＰ電話機相互の回線接続動作に関しては後述する。
【００１５】
このデータ要求に対して、他のＩＰ電話機から登録済みの電話番号等が送信されてくると、呼制御回路２１及び主制御回路２０がこれを受け付けて（ステップ３）、図４に示すように、番号-アドレステーブル２７にこれを設定登録する（ステップ４）。この番号-アドレステーブル２７には、同図に示すように、ある電話機に対する電話番号とそのＩＰアドレスとが対になって登録される。
【００１６】
ステップ１において、ユーザ等が、当該ＩＰ電話機に接続されている他のＩＰ電話機で、電話番号等が既に設定登録されているものがないと判断した場合には、ユーザ等自身が電話番号等を入力すべく、ステップ５に進む。ステップ５では、ユーザ等自身が、プッシュボタン群１４を操作して、構内電話システムを構成しているＩＰ電話機に関する電話番号を入力する（ステップ５）。この際、主制御回路２０は、入力された電話番号が有効桁数であるか否かを判断し（ステップ６）、有効桁数でなければ、入力電話番号が有効桁数でない旨表示パネル１３に表示させ、ユーザ等に再入力を促す。また、有効桁数であれば、主制御回路２０は、既に入力済みの電話番号であるか否かを判断し（ステップ７）、入力済みの電話番号であれば電話番号重複である旨を表示パネル１３に表示させ、ユーザ等に他の電話番号の入力を促す。また、入力済みの電話番号でなければ、入力した電話番号に対応するＩＰアドレスの入力指示を表示パネル１３に表示させる。ユーザ等は、この表示を見て、プッシュボタン群１４を操作して、入力した電話番号に対応するＩＰアドレスを入力する（ステップ８）。この際、主制御回路２０は、入力されたＩＰアドレスが有効クラスか否か、入力済みのＩＰアドレスか否かを判断し（ステップ９，１０）、有効クラスでない場合や入力済みのＩＰアドレスである場合には、表示パネル１３にその旨を表示させる。主制御回路２０は、入力されたＩＰアドレスが有効クラスであり且つ入力済みのＩＰアドレスではないと判断すると、ステップ５で入力された電話番号及びステップ８で入力されたＩＰアドレスを番号-アドレステーブル２７に設定登録する（ステップ１１）。主制御回路２０は、続いて、全てのＩＰ電話機の電話番号を入力したか否かの旨を表示パネル１３に表示させ、ユーザ等から全てのＩＰ電話機の電話番号を入力した旨の入力があると終了し、ユーザ等からその旨の入力がなければ他の電話番号の入力を促して、ステップ５に戻る。
【００１７】
次に、図５に示すフローチャートに従って、ダイレクトモードの設定及びその解除動作について説明する。
【００１８】
本実施形態のＩＰ電話機１０は、ＰＢＸ３０を介さずに、直接、他のＩＰ電話機と通話できるダイレクトモードと、従来技術のように、ＰＢＸを介して他の電話機と通話できる通常モードとの二つのモード設定が可能である。そこで、以下では、ダイレクトモードの設定、その解除によって通常モードへ切り替わる際の動作について説明する。
【００１９】
まず、ユーザ等がプッシュボタン群１４でモード設定操作をすると、主制御回路２０は、これを受け付けて（ステップ２１）、入力時間タイマを起動させると共に（ステップ２２）、パスワードの入力を促す旨の内容を表示パネル１３に表示させる。このパスワードは、全てのユーザがモード切換を自由にできないようにするため、特定の管理者に与えられるものである。プッシュボタン群１４の操作で、パスワードが入力されると（ステップ２３）、主制御回路２０は、入力時間タイマがタイムアウトされるまで待ってから（ステップ２４）、入力されたパスワードが予め設定されたパスワードか否かを判断し（ステップ２５）、正当なパスワードでなければこのモード設定ルーチンを終了し、正当なパスワードであれば、ダイレクトモード設定又はダイレクトモード解除の入力を促す旨の内容を表示パネル１３に表示させて、いずれかの入力を待つ（ステップ２６）。プッシュボタン群１４の操作で、ダイレクトモード解除が入力されると、主制御回路２０は、呼制御回路２１を通常モードに設定する、言い換えると、ダイレクトモードをオフにする（ステップ３３）。また、ダイレクトモード設定が入力されると、呼制御回路２１をダイレクトモードに設定する、言い換えると、ダイレクトモードをオンにする（ステップ２７）。主制御回路２０は、呼制御回路２１をダイレクトモードに設定すると、直ちに、無操作時間タイマを起動させてから（ステップ２８）、プッシュボタン群１４のうちのいずれかのプッシュボタン又はハンドセット１１等が操作されたか否かを判断する（ステップ２９）。いずれかのプッシュボタン又はハンドセット１１等が操作されれば、無操作時間タイマを停止して（ステップ３０）、再度、直ちに、プッシュボタン又はハンドセット１１等が操作されたか否かを判断する（ステップ３１）。プッシュボタン等の操作が有ればステップ３０に戻り、プッシュボタン等の操作が無ければステップ２８に戻り、再度、無操作時間タイマを起動させる。つまり、ステップ２８〜３１では、プッシュボタン等が連続的に操作されている限りはタイマを停止し、操作が途絶えると改めてタイマを起動する。ステップ２９でプッシュボタン等の操作がないと判断した場合には、主制御回路２０は、無操作時間タイムアウトか否かを判断し（ステップ３２）、タイムアウトでなければステップ２９に戻り、タイムアウトであれば、ステップ３３に進んで、ダイレクトモードをオフにする。
【００２０】
次に、以上で説明したダイレクトモード時のＩＰ電話機相互の呼制御について、図６を用いて説明する。
【００２１】
発信元のＩＰ電話機に、発信先の電話番号が入力されると、呼制御回路２０は、番号-アドレステーブル２７を参照して、発信先の電話番号に対応するＩＰアドレスを調べ、このＩＰアドレスを使用して発呼信号を送信する（ステップ４１）。発信先のＩＰ電話機は、ＰＢＸ３０を介さずに直接、この発呼信号を受信し、折り返し、発呼受付信号を発信先に送信すると共に（ステップ４２）、この発呼受付信号の送信をトリガとして、発信元からの音声信号を発信元に送り返すループ設定（ステップ４３）を行う。
【００２２】
発信元のＩＰ電話機は、発呼受付信号を受信すると、リング・バック・トーンを発信先に送信する（ステップ４４）。発信先のＩＰ電話機は、ループ設定がなされているため、発信元が送信したリング・バック・トーンは発信元に戻ってきて、発信元者はこのリング・バック・トーンを聞くことになる。発信先がオフフック状態になると（ステップ４５）、発信先のＩＰ電話機は、発信元へ応答信号を送信する（ステップ４６）。発信元のＩＰ電話機は、発信先からの応答信号を受信すると、リング・バック・トーンの送信を停止すると共に、通話可能な接続状態にして（ステップ４７）、発信先へ応答受付信号を送信する（ステップ４８）。発信先のＩＰ電話機は、応答受付信号を受信すると、ループ設定を解除すると共に、通話可能な接続状態にする（ステップ４９）。この結果、発信元と発信先との間で通話が可能になる（ステップ５０）。通話終了後、仮に、発信元のＩＰ電話機がオンフック状態になると（ステップ５１）、発信先に切断信号を送信する（ステップ５２）。また、通話終了後、発信先のＩＰ電話機がオンフック状態になると、発信元に切断信号を送信する（ステップ５３）。
【００２３】
次に、図７に示すフローチャートに従って、ダイレクトモード時の発信元のＩＰ電話機の詳細動作について説明する。
【００２４】
ハンドセット１１を外すと、フックスイッチ１２がこれを検知して、主制御回路２０にオフフックを通知する（ステップ６１）。主制御回路２０は、オフフックを認識すると、図５のステップ３０で説明したように無操作時間タイマを停止し（ステップ６２）、ダイヤル・トーン発信回路２４に、ダイヤル・トーンを発信させる（ステップ６３）。この結果、ハンドセット１１を外した発信元者は、このハンドセット１１からダイヤル・トーンを聞くことになる。次に、発信元者がプッシュボタン群１４を操作して、発信先の電話番号を入力し、主制御回路２０がこれを受け付けると（ステップ６４）、ダイヤル・トーン発信回路２４に、ダイヤル・トーンの発信を停止させる（ステップ６５）。呼制御回路２１は、これと並行して、番号-アドレステーブル２７を参照して、主制御回路２０が受け付けた発信先電話番号に対応するＩＰアドレスを取得し（ステップ６６）、このＩＰアドレスを用いた発呼信号を、ＰＢＸ３０を介さずに、ＬＡＮ２経由で送信し（ステップ６７）、発呼受付信号待ちになる（ステップ６８）。
【００２５】
この発呼受付信号待ちで、発信元側のハンドセット１１がオンフック状態になり、フックスイッチ１２がこれを検知すると、呼制御回路２１は発信先へ切断信号を送信し（ステップ６９）、主制御回路２０は無操作時間タイマを起動させる（ステップ７６）。
【００２６】
また、ステップ６８の発呼受付信号待ちで、呼制御回路２１が発信先からの発呼受付信号を受信すると、主制御回路２０は、リング・バック・トーン発信回路２５にリング・バック・トーンを発信させて（ステップ７０）、応答待ちになる（ステップ７１）。この際、発信先は、図６を用いて前述したように、発呼受付信号を発信元へ送信した段階で（ステップ４２）、通話回路２０がループ設定されているので、発信元からのリング・バック・トーンは、発信先の通話回路２０をループし、発信元の通話回路２０を経て、発信元のハンドセット１１に至り、発信元は、このリング・バック・トーンを聞くことになる。
【００２７】
ステップ７１の応答待ちで、発信元側のハンドセット１１がオンフック状態になると、前述したように、ステップ６９、ステップ７６を経て終了となり、切断信号を受信すると、主制御回路２０は、フックスイッチ１２からのオンフック信号を待って（ステップ７５）、無操作時間タイマを起動させる（ステップ７６）。
【００２８】
また、ステップ７１の応答待ちで、発信先から応答信号を受信すると、主制御回路２０は、リング・バック・トーン発信回路２５にリング・バック・トーンを発信を停止させ、呼制御回路２１は、通話回路２２を通話可能な接続状態にすると共に（ステップ７２）、応答受付信号を送信すると（ステップ７３）、実際に通話できるようになる（ステップ７４）。この通話可能状態で、発信元側のハンドセット１１がオンフック状態になると、前述したように、ステップ６９、ステップ７６を経て終了となり、切断信号を受信すると、主制御回路２０は、フックスイッチ１２からのオンフック信号を待って（ステップ７５）、無操作時間タイマを起動させる（ステップ７６）。
【００２９】
また、ステップ６８の発呼受付信号待ちで、呼制御回路２１が発信先から応答信号を受信すると、前述したステップ７３の処理が行われる。
【００３０】
なお、通常モード時では、従来技術の欄で述べたように、発信先の電話番号が入力されると、発信元のＩＰアドレスがＰＢＸ３０に送られ、発信元のＩＰ電話機とＰＢＸ３０との間の回線が確立された後、発信先電話番号を用いて、発信先との間の呼制御がＰＢＸ３０を介して行われる。
【００３１】
次に、図８に示すフローチャートに従って、発信先のＩＰ電話機の詳細動作について説明する。
【００３２】
発信元からの発呼信号を受信すると（ステップ８１）、主制御回路２０は、この発呼信号に含まれている呼制御情報を解析して、呼制御情報内の発信元モード情報がダイレクトモードか通常モードかを判別し（ステップ８２）、発信元に合ったモードに呼制御回路２１を設定する、つまり発信元が通常モードであれば通常モードに設定し（ステップ８３）、発信元がダイレクトモードであればダイレクトモードに設定する（ステップ８５）。通常モードでは、従来技術と同様に、ＰＢＸ３０が介在して、発信元との呼制御が行われる（ステップ８４）。なお、通常モードでは、発信元は、本実施形態におけるＩＰ電話機１０の場合も、通常電話機４の場合もある。
【００３３】
呼制御回路２１がダイレクトモードに設定されると（ステップ８５）、呼制御回路２１は、発信元へ発呼受付信号をＰＢＸ３０を介さずに送信する（ステップ８６）。主制御回路２０は、発呼受付信号の送信に伴って、発信元の音声信号を発信元に送り返すループ状態に通話回路２２を設定する。この際、発信元からはリング・バック・トーンが送信されているので（図７、ステップ７０）、通話回路２２は、このリング・バック・トーンを発信元に送り返すことになる（ステップ８７）。主制御回路２０は、さらに、図示されていないマイクから呼び出し音を発生させる（ステップ８８）。
【００３４】
主制御回路２０は、フックスイッチ１２でオフフックが検知させるのを待ち（ステップ８９）、オフフックが検知されると、呼び出し音を停止させる（ステップ９０）。呼制御回路２１は、オフフックが検知されると、発信元へ応答信号を送信して（ステップ９１）、発信元からの応答受付信号を待つ（ステップ９２）。
【００３５】
応答受付信号を待っている間に、オンフックが検知されると、主制御回路２０は、通話回路２２のループ設定を解除した後（ステップ９３）、呼制御回路２１が発信元へ切断信号を送信する（ステップ９４）。また、応答受付信号を待っている間に、発信元からの応答受付信号を受信すると、通話回路２２のループ設定が解除され、呼制御回路２１は、通話回路２２を通話可能な接続状態にする（ステップ９５）。この通話可能な状態（ステップ９６）で、オンフックが検知されると、前述したように、呼制御回路２１が発信元へ切断信号を送信し（ステップ９４）、切断信号を受信すると、通話回路２２を切断状態にして終了する。また、応答受付信号を待っている間に、切断信号を受信すると、通話回路２２のループ設定が解除された後、呼制御回路２１が通話回路２２を切断状態にして終了する。また、ステップ８９のオフフック待ちの間に、切断信号を受信すると、主制御回路２０は呼び出し音を停止させてから、前述したステップ９８に進む。
【００３６】
以上のように、本実施形態のＩＰ電話機では、ダイレクトモードに設定した後、発信先の電話番号を入力すると、予め登録されている発信先電話番号に対応したＩＰアドレスが調べられ、このＩＰアドレスに基づいて、発信先のＩＰ電話機との間で直接呼制御が行われるので、ＰＢＸ無しの構内電話システムを構築することができる。なお、ＰＢＸ無しの構内電話システムを構築する場合には、以上の実施形態のように、通常モードを主体とせず、ダイレクトモードを主体とするか、ダイレクトモードのみにするとよい。
【００３７】
また、本実施形態では、以上のように、ＰＢＸ無しで通話が可能であるため、ＰＢＸの接続及び各種設定等が完了していなくても、通話試験を行うことができる。さらに、本実施形態では、発信元からリング・バック・トーンが発信先から戻ってくるので、通話試験において、発信先に作業員がいなくても、発信元でこのリング・バック・トーンを聞けば、発信先との間の回線接続が確実に行われていることを把握できるので、通話試験における必要要員を削減することができる。
【００３８】
また、本実施形態では、ダイレクトモードと通常モードとの切換を行うことができるので、ＰＢＸを設けることで、ＩＰ電話機のみならず、通常電話機との通話も行うことができる。
【００３９】
【発明の効果】
本発明によれば、番号-アドレス記憶領域に、発信先の電話番号とこれに対応したＩＰアドレスと登録しておくことで、発信先電話番号を入力すれば、この発信先電話番号に対応したＩＰアドレスが調べられ、このＩＰアドレスに基づいて、発信先のＩＰ電話機との間で直接呼制御が行われる。したがって、ＰＢＸ無しの構内電話システムを構築することができ、設備コストを抑えることができる上に、ＰＢＸの接続及び各種設定等が完了していなくても、通話試験を行うことができる。
【００４０】
また、リング・バック・トーン発信手段を備えているものでは、このリング・バック・トーン発信手段からのリング・バック・トーンが発信元から戻ってくるので、通話試験において、発信先に作業員がいなくても、発信元でこのリング・バック・トーンを聞けば、発信先との間の回線接続が確実に行われていることを把握でき、通話試験における必要要員を削減することができる。
【００４１】
また、モード受付手段を備えているものでは、ダイレクトモードと通常モードとの切換を行うことができるので、ＰＢＸを設けることで、ＩＰ電話機のみならず、通常電話機との通話も行うことができる。
【図面の簡単な説明】
【図１】本発明に係る一実施形態における構内電話システムの系統図である。
【図２】本発明に係る一実施形態におけるＩＰ電話機の回路ブロック図である。
【図３】本発明に係る一実施形態における電話番号及びＩＰアドレスの登録手順を示すフローチャートである。
【図４】本発明に係る一実施形態における番号-アドレステーブルの構成を示す説明図である。
【図５】本発明に係る一実施形態におけるダイレクトモードの設定及び解除動作を示すフローチャートである。
【図６】本発明に係る一実施形態におけるＩＰ電話機相互の呼制御のシーケンス図である。
【図７】本発明に係る一実施形態における発信元ＩＰ電話機の呼制御動作を示すフローチャートである。
【図８】本発明に係る一実施形態における発信先ＩＰ電話機の呼制御動作を示すフローチャートである。
【符号の説明】
２，３…ＬＡＮ、４…通常電話機、１０…ＩＰ電話機、１１…ハンドセット、１２…フックスイッチ、１３…表示パネル、１４…プッシュボタン群、２０…主制御回路、２１…呼制御回路、２２…通話回路、２３…トーン発信回路、２４…ダイヤル・トーン発信回路、２５…リング・バック・トーン発信回路、２６…インタフェース回路、３０…ＰＢＸ。
【図１】
0003895601.tif 000002
【図２】
0003895601.tif 000003
【図３】
0003895601.tif 000004
【図４】
0003895601.tif 000005
【図５】
0003895601.tif 000006
【図６】
0003895601.tif 000007
【図７】
0003895601.tif 000008
【図８】
0003895601.tif 000009